(57)【要約】【課題】パレットの下面に搬送用の可動部を設けないで縦横にパレットを搬送するようにする。【解決手段】  床面上に複数の搬送用のパレットを縦方向及び横方向に移動可能にした搬送装置において、上記各パレットＡの裏面に井桁状に溝形のレールａを設け、上記床面上の上記レールの各交差部分に対応した四箇所でそれぞれの外周上周面が前記レールに嵌まり込むと共に、対角線の片方一対のドライブ機能付き駆動軸を軸線が水平で、かつ縦方向の上記レールに直角に交差する縦送り兼ガイド双方向ローラ３を、対角線のもう片方一対のドライブ機能付き駆動軸を軸線が水平で、かつ横方向の上記レールに直角な横送り兼ガイド双方向ローラ５を設けたことを特徴とするパレットの搬送装置。【選択図】図２
2014077275.tif 000002
【特許請求の範囲】
【請求項１】
床面上に複数の搬送用のパレットを縦方向及び横方向に移動可能にした搬送装置において、上記各パレットの裏面に井桁状に溝形のレールを設け、上記床面上の上記レールの各交差部分に対応した四箇所でそれぞれの外周上周面が前記レールに嵌まり込むと共に、対角線の片方一対のドライブ機能付き駆動軸を軸線が水平で、かつ縦方向の上記レールに直角に交差する縦送り兼ガイド双方向ローラを、対角線のもう片方一対のドライブ機能付き駆動軸を軸線が水平で、かつ横方向の上記レールに直角な横送り兼ガイド双方向ローラを設けたことを特徴とするパレットの搬送装置。
【請求項２】
上記床面に、レールの各交差部分に縦送り兼ガイド双方向ローラ及び横送り兼ガイド双方向ローラを合致させてパレットを停止固定する停止手段を設けたことを特徴とする請求項１に記載のパレットの搬送装置。
【発明の詳細な説明】
【技術分野】
【０００１】
この発明は、例えば自動車を載せて格納又は搬送する形式の駐車設備や、品物を載せて格納又は搬送する形式の倉庫設備に使用するパレットの搬送装置に関する。
【背景技術】
【０００２】
上記のような目的に使用するパレットを縦方向及び横方向の双方に自在に走行させる従来技術としては、例えば特許文献１、２、３、４がある。
【先行技術文献】
【特許文献】
【０００３】
【特許文献１】特許第４３９８４０１号公報
【特許文献２】特許第４４６４１７４号公報
【特許文献３】特許第４６８０５５９号公報
【特許文献４】特許第４７２７９６６号公報
【発明の概要】
【発明が解決しようとする課題】
【０００４】
ところで、特許文献１のものは、縦横方向の送り転向にともなう一方のレール上を走行する車輪の干渉を防止して通過可能な凹部による干渉防止を設け、車輪とローラレール及び凹部乗り越え用ローラレールとで支持可能に構成してあるので、構造が煩雑になると共に、煩雑さにともない故障の発生原因となる以外に、凹部や乗り越えローラレールの通過にともないスムーズな走行が保障されない不都合や、パレットの下面に各部を設けるので、保守、点検作業が容易でなく、メンテナンス性に問題があった。
【０００５】
特許文献２のものは、複数のトレーと平面上で格納または搬送するトレー駆動装置を備え、平面循環するトレー送り機構、各トレーの横方向のラックに係合した横方向に駆動する歯付きベルト伝動部材を有するトレー横送り装置と、縦方向のラックに係合し縦方向に駆動する歯付きベルト伝動部材を有するトレー縦送り装置を、横方向又は縦方向のいずれか他方のラックが係合可能に押上傾動可能な手段を有し、縦方向のラックに係合可能な係合位置と離脱可能な離脱位置とに切り換える動作を相互に行うトレー送り方向切換装置とでトレーを横方向又は縦方向に送り駆動するような構成にしてあるので、構造が煩雑になると共に、煩雑さにともない故障の発生原因となり、特に煩雑なため保守、点検が容易でない問題があった。
【０００６】
特許文献３、４のものは、トレーの下面の縦方向又は横方向に延びる第１のガイドレール及び第１のガイドレールに対して交差状に横方向又は縦方向に対して延びる第２のガイドレールを有し、第１のガイドレールと第２のガイドレールの各交差部に十字形の間欠部を形成された固定ガイドレールと、固定ガイドレールの各間欠部に水平方向に回転可能に軸支され、第１のガイドレール又は第２のガイドレールと同一方向に選択的に切り換えられる一対の可動ガイドレールを有し、トレーを縦方向及び横方向に走行可能に支持する複数の車輪を設け、上記車輪を縦方向に案内し、又は車輪に案内され、トレーを縦方向に走行案内する縦方向走行レール及び車輪を横方向に案内し、又は車輪に案内され、トレーを横方向に走行案内する複数の横方向走行レールとを備え、トレーの各可動ガイドレールに係合する各送りローラをトレーの各可動ガイドレールと共に縦方向又は横方向に選択的に切り換え、第１又は第２のガイドレールと同一方向に一致させて、各送りローラを駆動により回転させてトレーを縦方向又は横方向に送るように構成してあるので、構造が極めて煩雑になると共に、可動ガイドレールの縦方向又は横方向の選択的切り換えによるスムーズな走行が保障されにくい不都合や構造の煩雑さにともない故障の発生原因になり、特に煩雑なため保守、点検が容易でないなどの問題があった。
【０００７】
そこで、この発明の目的は、上述の問題を解決したパレットの搬送装置を、すなわち極めて構造を簡略化し、全体のコスト低減やメンテナンス性を向上すると共に、パレットのスムーズな縦方向及び横方向の走行を保障することにある。
【課題を解決するための手段】
【０００８】
上記の課題を解決するために、この発明は、床面上に複数の搬送用のパレットを縦方向及び横方向に移動可能にした搬送装置において、上記各パレットの裏面に井桁状に溝形のレールを設け、上記床面上の上記レールの各交差部分に対応した四箇所でそれぞれの外周上周面が前記レールに嵌まり込むと共に、対角線の片方一対のドライブ機能付き駆動軸を軸線が水平で、かつ縦方向の上記レールに直角に交差する縦送り兼ガイド双方向ローラを、対角線のもう片方一対のドライブ機能付き駆動軸を軸線が水平で、かつ横方向の上記レールに直角な横送り兼ガイド双方向ローラを設けた構成を採用する。
【０００９】
また、上記床面に、レールの各交差部分に縦送り兼ガイド双方向ローラ及び横送り兼ガイド双方向ローラを合致させてパレットを停止固定する停止手段を設けた構成を採用する。
【発明の効果】
【００１０】
以上のように、この発明のパレットの搬送装置によれば、対角線の片方一対の縦送り兼ガイド双方向ローラをドライブすることで、パレットが縦方向に搬送され、また対角線のもう片方一対の横送り兼ガイド双方向ローラをドライブすることで、パレットが横方向に搬送されると共に、パレットの縦方向の搬送の際ドライブされない横送り兼ガイド双方向ローラがパレットの縦方向搬送のガイドとなり、パレットの横方向の搬送の際ドライブされない縦送り兼ガイド双方向ローラがパレットの横方向搬送のガイドとなるので、既知の方式のような送りローラをそれぞれ搬送方向に応じた９０度旋回させる必要がないと共に、旋回にともなう煩雑な構成がなくなって故障の発生原因や大幅なコストアップになる不都合をなくすることができる。すなわち、ドライブしない側は、ガイドだけで、ドライブ側もガイドするためである。
【００１１】
そして、双方向ローラを使用しているので、ドライブしない側の双方向ローラがパレットの縦方向或いは横方向の搬送の際の搬送ガイドとなってパレットのスムーズな搬送をガイドする。
【００１２】
特に、パレットの下面にパレットの搬送可動部がないので、極めて構造が簡素化され、保守点検作業が容易になってメンテナンス性を向上させることができる。
【００１３】
また、停止手段によりパレットを停止することができるようにしてあるので、常に安定した双方向ローラとレールとの係合関係を維持することもできる。
【図面の簡単な説明】
【００１４】
【図１】この発明のパレットの下面図である。
【図２】搬送装置の一部切欠平面図である。
【図３】同上の縦断正面図である。
【図４】同上の縦断拡大正面図である。
【図５】同縦断拡大側面図である。
【図６】双方向ローラの駆動を示す拡大平面図である。
【図７】双方向ローラの他の駆動を示す拡大平面図である。
【図８】双方向ローラの他の駆動を示す拡大平面図である。
【図９】停止手段を示す拡大平面図である。
【図１０】同上の縦断正面図である。
【図１１】停止手段の他の例を示す平面図である。
【図１２】同上の正面図である。
【図１３】同上の作用を示す拡大側面図である。
【発明を実施するための形態】
【００１５】
この発明の実施の形態を添付図面に基づいて説明する。
この発明の第１の実施形態を示す図１から図８のＡは、パレットである。
【００１６】
上記パレットＡは、例えば自動車を載せて格納又は搬送する形式の駐車設備や、品物を載せて格納又は搬送する形式の倉庫設備に使用するもので、このパレットＡの裏面（下側面）には、井桁状に溝形レールａが設けてある。
【００１７】
上記レールａの溝形は、図示の場合、平行する両側が下方に向かう程広がる富士山形や台形に形成しておくことで、レールａに後述する双方向ローラが嵌まり込む際、レールａの開放下縁にローラが引っかかることなくスムーズな嵌まり込みを保障できるが、かならずしも限定されず、コ字状の形状であってもよい。
【００１８】
また、パレットＡの搬送路となる床面１上のレールａの各交差部分（四箇所）に対応した位置には、それぞれの外周上周面がレールａに嵌まり込むと共に、対角線の片方一対のドライブ機能付きの両駆動軸２、２を軸線が水平で、かつ縦方向のレールａに直角に交差する縦送り兼ガイド双方向ローラ３、３を、対角線のもう片方一対のドライブ機能付きの両駆動軸４、４を軸線が水平で、かつ横方向のレールａに直角な横送り兼ガイド双方向ローラ５、５を設ける。
【００１９】
上記駆動軸２、４のドライブ機能としては、例えば図２、図６に示すように可逆モーター６から減速機７をへて伝達する以外に、図７に示すように可逆モータ６から減速機７、スプロケットとスプロケットにかけ渡すチェーンとからなる伝達手段８及び軸と軸及び噛み合う歯車（図示省略）とからなる伝達手段９をへて伝達する方式や、図８に示すように、可逆モータ６から減速機７、スプロケットとスプロケットにかけ渡すチェーンとからなる伝達手段８をへて伝達する方式があるが、その他の手段により縦送り兼ガイド双方向ローラ３、横送り兼ガイド双方向ローラ５を可逆駆動することもある。
【００２０】
そして、上記の縦送り兼ガイド双方向ローラ３及び横送り兼ガイド双方向ローラ５は、図３、図４、図５に示す場合には、駆動軸２、４と共に回動する円板１０と、この円板１０の両面外側の円周線上で複数配置して軸承すると共に、両側が千鳥状に配置したローラ１１とで構成されたもので、オムニホイール（商品名）と称し、例えば実用新案登録第３１６８４５１号公報や、特開２００７−２２３４２号公報、特許第４８１２８０６号公報がある。
【００２１】
上記のような構成にすると、モーター６の運転により対角線の片方両縦送り兼ガイド双方向ローラ３、３をドライブすることによりガイドしながらパレットＡを縦方向に搬送することができる。
【００２２】
このとき、対角線のもう片方のドライブしない両横送り兼ガイド双方向ローラ５、５は、縦方向に搬送されるパレットＡのガイドの役目とする。
【００２３】
また、対角線のもう片方の横送り兼ガイド双方向ローラ５、５をモーター６の運転によりドライブすることによりガイドしながらパレットＡを横方向に搬送することができる。
【００２４】
このとき、対角線の片方のドライブしない両縦送り兼ガイド双方向ローラ３、３は、横方向に搬送されるパレットＡのガイドの役目をする。
【００２５】
なお、図２、図３、図６、図７、図８に示すように、縦方向に走行するパレットＡの両側で、かつ停止位置から横方向に走行するパレットＡに対する衝突を回避する位置にガイドローラ１２（パレットのレールａ内にローラ１２が嵌まり込んでパレットＡが通過する）を設けておくと、縦方向に走行するパレットＡの横移動を止めて、スムーズな走行を保障することができる。
【００２６】
図中１３はガイドローラ１２の設置用梁である。
１４は横方向に走行するパレットＡをガイドするように設けた支軸が垂直なガイドローラで、このガイドローラ１４はレールａ内に嵌まり込むように配置する以外に、パレットＡの辺縁に臨むように配置してある。
【００２７】
そして、ガイドローラ１２にパレットＡの横方向の走行の際にレールａ内に嵌まり込んでパレットＡの横方向の走行を阻害しない支軸が水平なガイドローラ５１を併設し、またガイドローラ１４にパレットＡの縦方向の走行の際レールａに嵌まり込んでパレットＡの走行を阻害しない支軸が水平なガイドローラ５１を併設して、パレットＡのスムーズな走行をはかるようになっている。
【００２８】
１５は、パレットＡの辺縁から下方に突出する突出板で、この突出板１５にガイドローラ１２、１４が接触するようになっている。
【００２９】
この発明の実施形態では、図９から図１３に示すように、搬送停止したパレットＡの停止位置での停止手段Ｂを設けておく。
【００３０】
上記の停止手段Ｂとしては、例えば図９、図１０に示すように、床面１に据え付けた可逆モーター２１により駆動される旋回体２２と、この旋回体２２の周縁四等分位置から突出する突出片２３と、パレットＡの両側縁部下側で床面１に支軸２４を介し中央部を支持したＬ形の回動片２５と、この回動片２５の一端と突出片２３の突出端とにピン２６を介し両端を回動自在に連結した連結杆２７と、回動片２５の他端上面に軸支した回転子２８とで構成され、モーター２１の正逆運転により旋回体２２を正逆回動すると、連結杆２７により回動片２５が一方向に回動して、回転子２８がパレットＡの横方向のレールａの端から内方に侵入してパレットＡの縦方向のスライドを止め、また、レールａに侵入することで、縦方向のスライドを止め、脱出してパレットＡの側面のガイドに臨むことで縦方向のスライドを止める。一方、モーター２１の逆転運転によりレールａから回転子２８の脱出をはかることで、パレットＡの停止を解除するようにした方式がある。
【００３１】
その際、レールａから脱出した回転子２８をパレットＡの両側に臨ませるにようにしておくと、パレットＡの縦方向の搬送の際、パレットＡをガイドして安定したパレットＡの搬送を保障することができる。
【００３２】
または、図１１から図１３に示すように、縦方向のガイド孔３１に貫通させたロック軸３２と、支軸３３に中間を回動自在に軸承した「く字状」の揺動体３４と、この揺動体３４の一端とロック軸３２の下端とにピン３５を介し両端を回動自在に連結するリンク３６と、モーター３７により可逆駆動する回動軸４２に末端を固定した傾動体３８と、この傾動体３８の先端と揺動体３４の他端とにピン３９を介し両端を回動自在に連結したロッド４０とで停止手段Ｂを構成する。
【００３３】
すると、モーター３７の可逆運転により傾動体３８、ロッド４０、揺動体３４からリンク３６をへてロック軸３２を昇降させて、パレットＡの下面に設けてある掛止孔４１に対しロック軸３２を嵌入してロックし、掛止孔４１に対しロック軸３２を脱出させてロック（パレットＡの移動可動可能とパレットＡの移動停止）及びロックの解除を行うことができる。
【符号の説明】
【００３４】
Ａ  パレット
ａ  レール
Ｂ  停止手段
１  床面
２  駆動軸
３  縦送り兼ガイド双方向ローラ
４  駆動軸
５  横送り兼ガイド双方向ローラ
６  可逆モーター
７  減速機
８  伝達手段
９  伝達手段
１０  円板
１１  ローラ
１２  ガイドローラ
２１  モーター
２２  旋回体
２３  突出片
２４  支軸
２５  回動片
２６  ピン
２７  連結杆
２８  回転子
３１  ガイド孔
３２  ロック軸
３３  支軸
３４  揺動体
３５  ピン
３６  リンク
３７  モーター
３８  傾動体
３９  ピン
４０  ロッド
４１  掛止孔
【図１】
2014077275.tif 000003
【図２】
2014077275.tif 000004
【図３】
2014077275.tif 000005
【図４】
2014077275.tif 000006
【図５】
2014077275.tif 000007
【図６】
2014077275.tif 000008
【図７】
2014077275.tif 000009
【図８】
2014077275.tif 000010
【図９】
2014077275.tif 000011
【図１０】
2014077275.tif 000012
【図１１】
2014077275.tif 000013
【図１２】
2014077275.tif 000014
【図１３】
2014077275.tif 000015